(57)【要約】【課題】  複数枚のＩＣカードの使用が相手先に知られてしまうことを防止することが可能であり、電話番号ごとの使い分けを確実に行うことができるとともに、通話料金の混同や人間関係の悪化を防止し得る携帯電話機を提供すること。【解決手段】  契約国の国番号及び自局電話番号が記憶されたＩＣカードの装着部が複数設けられた携帯電話機であって、携帯電話機の位置情報を記憶する位置情報記憶手段と、発呼を行うために使用する自局電話番号が記憶されたＩＣカードを選択可能とする選択手段と、選択されたＩＣカードに記憶された国番号と、記憶された位置情報とに基づいてＩＣカードの契約国の交換機にアクセスを行うためのヘッダ情報を付加して発呼を行うか否かを判断する第１判断手段と、ヘッダ情報を付加して発呼を行うと判断した場合に、当該ヘッダ情報を付加して発呼を行う発呼手段とを備えたことを特徴とする携帯電話機。【選択図】    図４
2005198003.tif 000002
【特許請求の範囲】
【請求項１】
少なくとも契約国の国番号及び自局電話番号が記憶されたＩＣカードを装着可能な装着部が複数設けられた携帯電話機であって、
前記携帯電話機が存在する位置を示す位置情報を記憶する位置情報記憶手段と、
前記複数の装着部の各々に装着されたＩＣカードのうち、発呼を行うために使用する自局電話番号が記憶されたＩＣカードを選択可能とする選択手段と、
前記選択手段により選択されたＩＣカードに記憶された国番号と、前記位置情報記憶手段に記憶された位置情報とに基づいて、当該ＩＣカードの契約国の交換機にアクセスを行うためのヘッダ情報を付加して発呼を行うか否かを判断する第１判断手段と、
前記第１判断手段が前記ヘッダ情報を付加して発呼を行うと判断した場合に、当該ヘッダ情報を付加して発呼を行う発呼手段と
を備えたことを特徴とする携帯電話機。
【請求項２】
相手局電話番号及び国番号を、前記複数の装着部の各々に装着されたＩＣカードのなかのいずれかに記憶された自局電話番号に対応させて記憶する電話番号記憶手段と、
前記電話番号記憶手段に記憶されている相手局電話番号に対応する自局電話番号と、前記選択手段により選択されたＩＣカードに記憶された自局電話番号とが同一であるか否かを判断する第２判断手段と、
前記電話番号記憶手段に記憶されている相手局電話番号に対応する自局電話番号と、前記選択手段により選択されたＩＣカードに記憶された自局電話番号とが同一ではないと前記第２判断手段が判断したことを受けて、その旨を報知する第１報知画像を表示する第１報知画像表示手段と
を備えたことを特徴とする請求項１に記載の携帯電話機。
【請求項３】
前記電話番号記憶手段に記憶されている相手局電話番号に対応する自局電話番号が記憶されたＩＣカードが前記複数の装着部のいずれかに装着されているか否かを判断する第３判断手段と、
前記電話番号記憶手段に記憶されている相手局電話番号に対応する自局電話番号が記憶されたＩＣカードが前記複数の装着部のいずれかに装着されていないと前記第３判断手段が判断したことを受けて、その旨を報知する第２報知画像を表示する第２報知画像表示手段と
を備えたことを特徴とする請求項２に記載の携帯電話機。
【請求項４】
前記電話番号記憶手段に記憶されている相手局電話番号に対応する自局電話番号とは異なる自局電話番号で発呼を行う旨の指示の入力があったことを受けて、非通知で発呼を行うか否かについての指示の入力を可能とする非通知確認画像を表示する確認画像表示手段を備えたことを特徴とする請求項２又は３に記載の携帯電話機。
【請求項５】
少なくとも契約国の国番号及び自局電話番号が記憶されたＩＣカードを装着可能な装着部が複数設けられた携帯電話機であり、且つ、
前記携帯電話機が存在する位置を示す位置情報を記憶する位置情報記憶手段と、
前記複数の装着部の各々に装着されたＩＣカードのうち、発呼を行うために使用する自局電話番号が記憶されたＩＣカードを選択可能とする選択手段とを備えた携帯電話機の制御方法であって、
前記選択手段により選択されたＩＣカードに記憶された国番号と、前記位置情報記憶手段に記憶された位置情報とに基づいて、当該ＩＣカードの契約国の交換機にアクセスを行うためのヘッダ情報を付加して発呼を行うか否かを判断する第１判断ステップと、
前記第１判断ステップにより前記ヘッダ情報を付加して発呼を行うと判断された場合に、当該ヘッダ情報を付加して発呼を行う発呼ステップと
を含むことを特徴とする携帯電話機の制御方法。
【請求項６】
相手局電話番号及び国番号を、前記複数の装着部の各々に装着されたＩＣカードのなかのいずれかに記憶された自局電話番号に対応させて記憶する電話番号記憶手段を前記携帯電話機が備え、
前記電話番号記憶手段に記憶されている相手局電話番号に対応する自局電話番号と、前記選択手段により選択されたＩＣカードに記憶された自局電話番号とが同一であるか否かを判断する第２判断ステップと、
前記電話番号記憶手段に記憶されている相手局電話番号に対応する自局電話番号と、前記選択手段により選択されたＩＣカードに記憶された自局電話番号とが同一ではないと前記第２判断ステップにより判断されたことを受けて、その旨を報知する第１報知画像を表示する第１報知画像表示ステップと
を含むことを特徴とする請求項５に記載の携帯電話機の制御方法。
【請求項７】
前記電話番号記憶手段に記憶されている相手局電話番号に対応する自局電話番号が記憶されたＩＣカードが前記複数の装着部のいずれかに装着されているか否かを判断する第３判断ステップと、
前記電話番号記憶手段に記憶されている相手局電話番号に対応する自局電話番号が記憶されたＩＣカードが前記複数の装着部のいずれかに装着されていないと前記第３判断ステップにより判断されたことを受けて、その旨を報知する第２報知画像を表示する第２報知画像表示ステップと
を含むことを特徴とする請求項６に記載の携帯電話機の制御方法。
【発明の詳細な説明】
【技術分野】
【０００１】
本発明は、例えば、ＳＩＭ（Subscriber Identity Module）カード等のＩＣカードを装着可能な携帯電話機、及び、当該携帯電話機の制御方法に関する。
【背景技術】
【０００２】
ヨーロッパで規格化されたＧＳＭ（Global System for Mobile communication）では、ＳＩＭカードと呼ばれるＩＣカード（以下、単にＳＩＭカードと称する。）が必須となっている。このＳＩＭカードには、発着信に必要な認証アルゴリズムや電話番号等の情報が含まれており、このカードをＧＳＭ規格の携帯電話機に挿入することで携帯電話機は、本来の電話の機能である発着信が可能となる。つまりこのカードが挿入されていない状態では、携帯電話機からの発信や着信が出来ない規格となっている。この考えは、次世代携帯電話と呼ばれているＩＭＴ−２０００の規格でも引き継がれ、ＵＳＩＭ（User Subscriber Identity Module）カードとして標準化が進められている。
【０００３】
ＵＳＩＭカードの中には、ＩＭＴ−２０００の規格に定められるようにＭＦ (Master File)、ＤＦ (Dedicated File)、ＡＤＦ (Application Dedicated File)、ＥＦ (Elementary File)が含まれており、ＧＳＭのＳＩＭカードと同様に発着信に必要な認証アルゴリズムや電話番号に関する情報、更にＵＳＩＭカードになって初めてサポートされる電話帳などの種々の情報がＦｉｌｅと言う形で含まれている。各ＵＳＩＭカードの電話番号に関する情報は、上記ＥＦのなかの１つであるＥＦ＿ＩＭＳＩというＦｉｌｅの中に含まれており、この情報はネットワーク側に通知される。
【０００４】
上述したようにＥＦ＿ＩＭＳＩは、電話番号に関する情報を含むが、この情報は、国番号＋キャリア番号＋シリアル番号からなっている。この国番号とキャリア番号は、ＵＳＩＭカードを契約したある国のあるキャリア番号を示している。ＵＳＩＭカードを挿入して使用する携帯電話機の電話番号は、そのＥＦ＿ＩＭＳＩに対応している。つまり、ＥＦ＿ＩＭＳＩの国番号が（８１）の場合、そのＵＳＩＭカードを挿入して使用する携帯電話機の電話番号は、国番号（８１）＋自局電話番号となる。
【０００５】
日本で契約したＵＳＩＭカードを挿入した携帯電話機Ａ（ＵＳＩＭ−Ａカードの中に電話番号＜８１＋０９０−０１２３−４５６７＞を含む）と携帯電話機Ｂ（ＵＳＩＭ−Ｂカードの中に電話番号＜８１＋０９０−８９０１−２３４５＞を含む。）を韓国に持ち出し、お互いに韓国で通話する場合、同じ韓国に滞在していることが分かっていても、携帯電話機Ａから携帯電話機Ｂに発呼を行う場合には、国番号＋携帯電話機Ｂの自局電話番号（８１＋０９０−８９０１−２３４５）でダイヤルして発呼する必要がある。
【０００６】
この場合、ＵＳＩＭ−Ｂカードの契約国である日本のホームロケーションレジスタに最初にアクセスし、次に、このホームロケーションレジスタから国際ローミングにより端末Ｂに繋がるという処理になり、国際電話料金を必ず負担する必要がある。このように通話料金は、発信者と着信者の位置関係だけで決定されるのではなく、それに加え発信者と着信者が所有するＵＳＩＭカードの国番号にも依存するため、場合によっては国番号が異なるＵＳＩＭカードを複数挿入して使用した方が都合の良い場合がある。
【０００７】
従来、ＳＩＭカードを装着可能な装着部が複数設けられた携帯電話機が知られている（例えば、特許文献１〜３参照）。特許文献１〜３に記載の携帯電話機では、１台で複数の自局電話番号を使用して発着信を行うことができるため、利便性に優れたものとなる。
また、位置情報取得手段を備え、当該位置情報取得手段によって取得された位置情報に応じて、自動的に、複数のＳＩＭカードのなかから、発呼を行うための電話番号を記憶したＳＩＭカードが選択される携帯電話機が存在する（例えば、特許文献４参照）。特許文献４に記載の携帯電話機では、位置情報に応じて、自動的に通話料金が低額となるように、発呼を行うための電話番号を記憶したＳＩＭカードが選択されるため、ＳＩＭカードを選択する手間を省略することができ、利便性に優れたものとなる。
【０００８】
一方、日本においては、近年、携帯電話機の普及が著しく、水商売の人や、会社から携帯電話機を持たされている営業マン、会社経営者、会社役員等は、私用や公用の携帯電話機を複数所持している場合も珍しくない。そして、このような状況の他に、一人当たりの携帯電話機の所持数が増加している要因としては、人の動きがグローバル化しており、複数国の会社役員を兼任している人や、海外出張が多い人等が、日本国内で契約した携帯電話機の他に海外で契約した携帯電話機を所持していることが挙げられる。グローバル化の要求から、国内携帯電話機のキャリアは、各国携帯電話機と提携する等して、複数国で使用可能な携帯電話機を販売しているが、この携帯電話機で使用可能な自局電話番号は一つであるため、私用で、公用で、又は、私用であって相手先に応じて自局電話番号を変えて使用している人にとっては、複数の携帯電話機を所持しなければならない状況に変化はなかった。
【０００９】
【特許文献１】実用新案登録第３０７１５０９号公報
【特許文献２】特開２００２−９５０３８号公報
【特許文献３】特開２００３−２４４２９０号公報
【特許文献４】特開２００２−２１８５３６号公報
【発明の開示】
【発明が解決しようとする課題】
【００１０】
しかしながら、使用者の都合等によっては、複数枚のＳＩＭカードを使用していることを、相手先に知られたくない場合もある。例えば、普段であればＵＳＩＭ−Ａカードを使用して通話をしている相手先に対して、自動的にＵＳＩＭ−Ｂカードを使用した発呼が行われると、当該相手先に、ＵＳＩＭ−Ｂカードの電話番号を知られてしまうことになる。その結果、電話番号ごとの使い分けを確実に行うことが困難になるおそれがあり、また、人間関係の悪化を招来するおそれもある。
【００１１】
ＳＩＭカードの契約国が携帯電話機を使用する国と一致するから料金が安くなるという理由で、そのＳＩＭカードで電話をかけると、私用と公用との通話料金が混同してしまうといった携帯電話機の料金決済の問題や、私用の携帯電話機であっても、遊び用の自局電話番号と家族用の自局電話番号とを使い分けるというようにカテゴリー別に自局電話番号の使い分けを行いたい使用者が存在する問題から、複数の自局電話番号を使い分けている使用者にとっては、通話料金が安ければ良いというものではなく、上述した料金決済の問題や、相手先に通知される自局電話番号の問題を考慮しなければならないという問題がある。
【００１２】
本発明は上述した問題に鑑みてなされたものであり、その目的は、複数枚のＩＣカードの使用が相手先に知られてしまうことを防止することが可能であり、電話番号ごとの使い分けを確実に行うことができるとともに、通話料金の混同や人間関係の悪化を防止し得る携帯電話機を提供することにある。
【課題を解決するための手段】
【００１３】
上述した課題を解決するために、本発明は、以下のようなものを提供する。
（１）少なくとも契約国の国番号及び自局電話番号が記憶されたＩＣカードを装着可能な装着部が複数設けられた携帯電話機であって、
上記携帯電話機が存在する位置を示す位置情報を記憶する位置情報記憶手段と、
上記複数の装着部の各々に装着されたＩＣカードのうち、発呼を行うために使用する自局電話番号が記憶されたＩＣカードを選択可能とする選択手段と、
上記選択手段により選択されたＩＣカードに記憶された国番号と、上記位置情報記憶手段に記憶された位置情報とに基づいて、当該ＩＣカードの契約国の交換機にアクセスを行うためのヘッダ情報を付加して発呼を行うか否かを判断する第１判断手段と、
上記第１判断手段が上記ヘッダ情報を付加して発呼を行うと判断した場合に、当該ヘッダ情報を付加して発呼を行う発呼手段と
を備えたことを特徴とする携帯電話機。
【００１４】
（１）の発明によれば、相手先に発呼を行う際に、使用する自局電話番号を選択することが可能となるため、複数の自局電話番号のうち、当該相手先に知られていない自局電話番号が通知されてしまうことがない。その結果、電話番号ごとの使い分けを確実に行うことができるとともに、通話料金の混同や人間関係の悪化を防止することが可能となる。
【００１５】
また、選択されたＩＣカードに記憶された契約国の国番号と、使用者が発呼を行う場所（国）とが異なる場合には、当該契約国の交換機に対してアクセスを行うようにヘッダ情報が自動的に付加されて発呼が行われるため、発呼を行う都度、アクセスを行う国等を指定する必要がなく、利便性に優れたものとなる。
【００１６】
さらに、本発明は、以下のようなものを提供する。
（２）  上記（１）に記載の携帯電話機であって、
相手局電話番号及び国番号を、上記複数の装着部の各々に装着されたＩＣカードのなかのいずれかに記憶された自局電話番号に対応させて記憶する電話番号記憶手段と、
上記電話番号記憶手段に記憶されている相手局電話番号に対応する自局電話番号と、上記選択手段により選択されたＩＣカードに記憶された自局電話番号とが同一であるか否かを判断する第２判断手段と、
上記電話番号記憶手段に記憶されている相手局電話番号に対応する自局電話番号と、上記選択手段により選択されたＩＣカードに記憶された自局電話番号とが同一ではないと上記第２判断手段が判断したことを受けて、その旨を報知する第１報知画像を表示する第１報知画像表示手段と
を備えたことを特徴とする。
【００１７】
（２）の発明によれば、相手先に対して通常使用している自局電話番号を、予め電話番号記憶手段に記憶させておくことにより、発呼を行う際に選択した自局電話番号が当該相手先に対して通常使用している自局電話番号であるか否かについて自動的に判定することができるため、相手先に対してどの自局電話番号を通常使用しているかについて、使用者が記憶しておく必要がなく、誤って通常使用していない自局電話番号で発呼を行ってしまうことを防止することが可能となる。
【００１８】
さらに、本発明は、以下のようなものを提供する。
（３）  上記（２）に記載の携帯電話機であって、
上記電話番号記憶手段に記憶されている相手局電話番号に対応する自局電話番号が記憶されたＩＣカードが上記複数の装着部のいずれかに装着されているか否かを判断する第３判断手段と、
上記電話番号記憶手段に記憶されている相手局電話番号に対応する自局電話番号が記憶されたＩＣカードが上記複数の装着部のいずれかに装着されていないと上記第３判断手段が判断したことを受けて、その旨を報知する第２報知画像を表示する第２報知画像表示手段と
を備えたことを特徴とする。
【００１９】
（３）の発明によれば、相手先に対して通常使用している自局電話番号が記憶されたＩＣカードが携帯電話機に装着されていない場合には、その旨が報知されるため、携帯電話機に装着することが可能なＩＣカードの数よりも、多くのＩＣカードを使用者が所有している場合であっても、電話番号の使い分けを確実に行うことが可能となる。
【００２０】
さらに、本発明は、以下のようなものを提供する。
（４）  上記（２）又は（３）に記載の携帯電話機であって、
上記電話番号記憶手段に記憶されている相手局電話番号に対応する自局電話番号とは異なる自局電話番号で発呼を行う旨の指示の入力があったことを受けて、非通知で発呼を行うか否かについての指示の入力を可能とする非通知確認画像を表示する確認画像表示手段を備えたことを特徴とする。
【００２１】
（４）の発明によれば、相手先に対して通常使用していない自局電話番号で発呼を行う場合には、非通知で発呼を行うか否かを選択することができるため、相手先に知られていない自局電話番号が通知されてしまうことをより確実に防止することが可能となる。
【００２２】
さらに、本発明は、以下のようなものを提供する。
（５）少なくとも契約国の国番号及び自局電話番号が記憶されたＩＣカードを装着可能な装着部が複数設けられた携帯電話機であり、且つ、
上記携帯電話機が存在する位置を示す位置情報を記憶する位置情報記憶手段と、
上記複数の装着部の各々に装着されたＩＣカードのうち、発呼を行うために使用する自局電話番号が記憶されたＩＣカードを選択可能とする選択手段とを備えた携帯電話機の制御方法であって、
上記選択手段により選択されたＩＣカードに記憶された国番号と、上記位置情報記憶手段に記憶された位置情報とに基づいて、当該ＩＣカードの契約国の交換機にアクセスを行うためのヘッダ情報を付加して発呼を行うか否かを判断する第１判断ステップと、
上記第１判断ステップにより上記ヘッダ情報を付加して発呼を行うと判断された場合に、当該ヘッダ情報を付加して発呼を行う発呼ステップと
を含むことを特徴とする携帯電話機の制御方法。
【００２３】
（５）の発明によれば、相手先に発呼を行う際に、使用する自局電話番号を選択することが可能となるため、複数の自局電話番号のうち、当該相手先に知られていない自局電話番号が通知されてしまうことがない。その結果、電話番号ごとの使い分けを確実に行うことができるとともに、通話料金の混同や人間関係の悪化を防止することが可能となる。
【００２４】
また、選択されたＩＣカードに記憶された契約国の国番号と、使用者が発呼を行う場所（国）とが異なる場合には、当該契約国の交換機に対してアクセスを行うようにヘッダ情報が自動的に付加されて発呼が行われるため、発呼を行う都度、アクセスを行う国等を指定する必要がなく、利便性に優れたものとなる。
【００２５】
さらに、本発明は、以下のようなものを提供する。
（６）  上記（５）に記載の携帯電話機の制御方法であって、
相手局電話番号及び国番号を、上記複数の装着部の各々に装着されたＩＣカードのなかのいずれかに記憶された自局電話番号に対応させて記憶する電話番号記憶手段を上記携帯電話機が備え、
上記電話番号記憶手段に記憶されている相手局電話番号に対応する自局電話番号と、上記選択手段により選択されたＩＣカードに記憶された自局電話番号とが同一であるか否かを判断する第２判断ステップと、
上記電話番号記憶手段に記憶されている相手局電話番号に対応する自局電話番号と、上記選択手段により選択されたＩＣカードに記憶された自局電話番号とが同一ではないと上記第２判断ステップにより判断されたことを受けて、その旨を報知する第１報知画像を表示する第１報知画像表示ステップと
を含むことを特徴とする。
【００２６】
（６）の発明によれば、相手先に対して通常使用している自局電話番号を、予め電話番号記憶手段に記憶させておくことにより、発呼を行う際に選択した自局電話番号が当該相手先に対して通常使用している自局電話番号であるか否かについて自動的に判定することができるため、相手先に対してどの自局電話番号を通常使用しているかについて、使用者が記憶しておく必要がなく、誤って通常使用していない自局電話番号で発呼を行ってしまうことを防止することが可能となる。
【００２７】
さらに、本発明は、以下のようなものを提供する。
（７）  上記（６）に記載の携帯電話機の制御方法であって、
上記電話番号記憶手段に記憶されている相手局電話番号に対応する自局電話番号が記憶されたＩＣカードが上記複数の装着部のいずれかに装着されているか否かを判断する第３判断ステップと、
上記電話番号記憶手段に記憶されている相手局電話番号に対応する自局電話番号が記憶されたＩＣカードが上記複数の装着部のいずれかに装着されていないと上記第３判断ステップにより判断されたことを受けて、その旨を報知する第２報知画像を表示する第２報知画像表示ステップと
を含むことを特徴とする。
【００２８】
（７）の発明によれば、相手先に対して通常使用している自局電話番号が記憶されたＩＣカードが携帯電話機に装着されていない場合には、その旨が報知されるため、携帯電話機に装着することが可能なＩＣカードの数よりも、多くのＩＣカードを使用者が所有している場合であっても、電話番号の使い分けを確実に行うことが可能となる。
【発明の効果】
【００２９】
本発明の構成によれば、相手先に発呼を行う際に、使用する自局電話番号を選択することが可能となるため、複数の自局電話番号のうち、当該相手先に知られていない自局電話番号が通知されてしまうことがない。その結果、電話番号ごとの使い分けを確実に行うことができるとともに、通話料金の混同や人間関係の悪化を防止することが可能となる。
また、選択されたＩＣカードに記憶された契約国の国番号と、使用者が発呼を行う国とが異なる場合には、当該契約国の交換機に対してアクセスを行うようにヘッダ情報が自動的に付加されて発呼が行われるため、発呼を行う都度、アクセスを行う国等を指定する必要がなく、利便性に優れたものとなる。
【発明を実施するための最良の形態】
【００３０】
本発明の実施形態について図面に基づいて説明する。以下においては、１台で２つのＳＩＭカードの装着が可能な携帯電話機について説明することにする。勿論、本発明の携帯電話機において、１台で装着可能なＩＣカードの数は、複数であれば、特に限定されるものではない。
図１（ａ）、（ｂ）は、本発明の携帯電話機の一例を模式的に示す斜視図である。
【００３１】
携帯電話機１は、基地局にキャリアの入出力を行うアンテナ２と、電話に出たときに相手局（着信相手先）の音声を聞くための受話口３と、各種機能の設定や着信時に相手先の電話番号（相手局電話番号）や氏名等を表示するための表示部としてのディスプレイ４と、着信音量や通話音量を調節したり、メモリダイヤルの内容をディスプレイ４上に所要の状態で表示させたり、各種機能の設定を選択するための十字方向操作キー５と、電話番号や文字等を入力する際に使用されるダイヤルキーを含む操作キー群６と、通話中に自局の音声を伝えるための送話口７とを備えている。
【００３２】
携帯電話機１の外装は、所要の内装部品（電子部品を含む）を収容するためのケース１１と、ケース１１に収容された内装部品を覆うカバー１２とに分割されており、ケース１１内に内装部品を収容した状態で、ケース１１及びカバー１２の両者を嵌め合わせることにより構成されている。
【００３３】
また、携帯電話機１の裏側には、電池溝４１が設けられており、この電池溝４１には、バッテリーバック４０が収容される。
また、電池溝４１には、ＳＩＭカード５０を嵌合するための上記装着部である嵌合溝５１が２つ設けられている。この２つの嵌合溝５１の各々には、接触片５２が形成されており、この嵌合溝５１に嵌合されたＳＩＭカード５０の金属接点が、接触片５２と接触するように構成されている。この携帯電話機１には、２つのＳＩＭカード５０を装着することが可能であり、２つの自局電話番号が使用可能となっている。
【００３４】
アンテナ２は、ケース１１及びカバー１２の両者に挟み込まれ、その先端部が携帯電話機１の前端左側から前方へ突出している。受話口３は、カバー１２の前方部に形成される一方、送話口７は、カバー１２の後方部に形成されている。ディスプレイ４の表示面は、受話口３の下方位置においてカバー１２から露出しており、操作キー群６の操作面は、送話口７の上方位置においてカバー１２から露出している。
【００３５】
十字方向操作キー５は、通信を行うべく携帯電話機１を把持した際に母指での操作を容易にするように、ディスプレイ４と操作キー群６との間で、かつ、携帯電話機１の幅方向中央部に配置されている。
十字方向操作キー５、操作キー群６を操作することにより、２つのＳＩＭカード５０のうち、発呼を行うために使用する自局電話番号が記憶されたＳＩＭカード５０を選択することが可能である。この十字方向操作キー５、操作キー群６は、上記選択手段として機能するものである。
【００３６】
図２は、図１に示した携帯電話機の内部構成を示すブロック図である。
携帯電話機１は、アンテナ２と送受共用器１０４とＰＡ部１０６と変調回路部１０８とフィルタ１１０とチャネルコーデック１１２と音声コーデック１１４とスピーカ１１６とマイク１１８と受信／復調回路部１２０とシンセサイザ部１２２とイコライザ１２４とＣＰＵ１２６とＳＲＡＭ１３０とＥＥＰＲＯＭ１３２とディスプレイ４と音声メモ１３６と電話番号記憶回路１３７と電源制御部１３８とＳＩＭカード＆キーインターフェイスＩ／Ｆ１４０と２つのＳＩＭカード５０と操作部１４６とから構成される。
【００３７】
アンテナ２は、送受共用器１０４に接続され、用いられる移動通信方式の使用周波数帯域において良好なアンテナ放射効率をもった送受信アンテナとしての機能を有する。送受共用器１０４は、ＰＡ部１０６及び受信／復調回路部１２０に接続され、送受信の共用器としての機能を有する。ＰＡ部１０６は、送受共用器１０４及び変調回路部１０８に接続され、送信波を増幅するためのパワーアンプとしての機能を有する。
【００３８】
変調回路部１０８は、ＰＡ部１０６及びフィルタ１１０に接続され、信号の変調回路としての機能を有する。フィルタ１１０は、変調回路部１０８及びチャネルコーデック１１２に接続され、用いられる移動通信方式に対応した信号のフィルタとしての機能を有する。チャネルコーデック１１２は、フィルタ１１０及び音声コーデック１１４に接続され、チャネルコーデック機能を有する。音声コーデック１１４は、スピーカ１１６、マイク１１８及びチャネルコーデック１１２に接続され、利用する移動体通信網に対応した音声符号化コーデックとしての機能を有する。スピーカ１１６は、音声コーデック１１４に接続され、音声情報を音声出力する機能を有する。マイク１１８は、音声コーデック１１４に接続され、音声情報を入力する機能を有する。
【００３９】
受信／復調回路部１２０は、送受共用器１０４、シンセサイザ部１２２及びイコライザ１２４に接続され、信号の受信及び復調を行う回路としての機能を有する。シンセサイザ部１２２は、受信／復調回路部１２０及び変調回路部１０８に接続され、信号の合成回路としての機能を有する。イコライザ１２４は、受信／復調回路部１２０及びチャネルコーデック１１２に接続され、音声情報を帯域別に分け特定の音を強調することができ、相手の声に合わせて高音・低音を強調し、聞きやすい声に調整する機能を有する。ＣＰＵ１２６は、携帯電話機１の各ブロックを統括的に制御する機能を有する。ＳＲＡＭ１３０は、プログラムの処理作業に用いられるメモリ機能を有する。ＥＥＰＲＯＭ１３２は、電子ボリューム情報等のメモリ機能を有する。ディスプレイ４は、液晶表示機能を有する。音声メモ１３６は、音声蓄積用のメモリ機能を有する。
なお、以下においては、ＳＲＡＭ１３０及びＥＥＰＲＯＭ１３２を併せて、単に、メモリともいうこととする。
【００４０】
電源制御部１３８は、各ブロックへの電源供給及び充電制御を行う機能を有する。ＳＩＭカード＆キーインターフェイスＩ／Ｆ１４０は、２つのＳＩＭカード５０及び操作部１４６に接続され、２つのＳＩＭカード５０及びキー操作部１４６のインターフェイス機能を有する。ＳＩＭカード５０の各々には、少なくとも、契約国の国番号及び自局電話番号が記憶されている。操作部１４６は、図１に示した十字方向操作キー５及び操作キー群６からなる。
【００４１】
また、ＣＰＵ１２６には、上記電話番号記憶手段である電話番号記憶回路１３７が接続されている。この電話番号記憶回路１３７には、複数の相手局電話番号と国番号を含む電話帳データが記憶される。上記電話番号記憶手段は、例えば、ＳＲＡＭ、フラッシュメモリ、ハードディスクドライブ等で構成されていてもよい。
図３は、電話番号記憶回路１３７に記憶されている電話帳データの一例を示す図である。
図３に示すように、電話番号記憶回路１３７には、相手先の名前、相手局電話番号及び国番号が、自局電話番号に対応してそれぞれ複数記憶されている。
この電話番号記憶回路１３７に記憶されている相手先の名前を選択して発呼を行う際には、当該相手先の名前に係る相手局電話番号に、国番号が自動的に付加される。例えば、「田中」に対して発呼を行う場合には、「田中」に係る相手局電話番号Ａに、国番号Ｌが自動的に付加されて、Ｌ＋Ａでダイヤルして発呼が行われる。
使用者は、十字方向操作キー５、操作キー群６を操作して、相手先の名前、相手局電話番号、国番号及び自局電話番号を入力して電話番号記憶回路１３７に記憶させたり、記憶されている相手先の名前、相手局電話番号、国番号及び自局電話番号を消去したりすることができる。なお、国番号及び／又は自局電話番号については、予め用意された選択肢から十字方向操作キー５を操作することにより選択することができるようにしてもよい。
【００４２】
また、ＣＰＵ１２６に接続された上記メモリには、携帯電話機１の位置情報が記憶される。使用者は、十字方向操作キー５、操作キー群６の操作して、携帯電話機１の位置する国名等を入力することにより、上記メモリに上記位置情報を記憶させることができる。なお、携帯電話機１は、使用者が予め用意されている国名についての選択肢から十字方向操作キー５を操作することにより携帯電話機１の位置する国名を選択して上記メモリに上記位置情報を記憶させ得るように構成されていてもよい。
また、使用者が滞在する国の交換機から送信される報知信号を受信して、当該報知信号に含まれる位置情報を上記メモリに記憶することとしてもよく、さらに、携帯電話機１にＧＰＳ（Global Positioning System）受信装置を設け、複数の衛星からの電波を受信することにより位置情報を取得し、記憶することとしてもよい。
なお、本発明の携帯電話機の外観及び内部構成は、勿論、図１、図２に示した例に限定されるものではない。
【００４３】
図４は、図１に示した携帯電話機１のＣＰＵ１２６において実行される発呼処理ルーチンを示すフローチャートである。このサブルーチンは、予め実行されているメインルーチンから所定のタイミングで呼び出されて実行されるサブルーチンである。
【００４４】
まず、ＣＰＵ１２６は、自局電話番号の選択の指示があったか否かを判断する（ステップＳ１０）。ステップＳ１０において、ＣＰＵ１２６は、十字方向操作キー５、操作キー群６の操作により発呼を行う自局電話番号を選択する旨の指示の入力があったか否かを判断する。
ステップＳ１０において、自局電話番号の選択の指示がなかったと判断した場合、ＣＰＵ１２６は、処理をステップＳ１０に戻す。
【００４５】
一方、ステップＳ１０において、自局電話番号の選択の指示があったと判断した場合、次に、ＣＰＵ１２６は、発呼を行う相手先の指示があったか否かを判断する（ステップＳ１１）。ステップＳ１１において、ＣＰＵ１２６は、十字方向操作キー５、操作キー群６の操作により電話番号記憶手段１３７に記憶されている複数の相手局電話番号のなかから、一の相手局電話番号を選択する旨の指示の入力があったか否かを判断する。
ステップＳ１１において相手先の指示がなかったと判断した場合、ＣＰＵ１２６は、処理をステップＳ１１に戻す。
【００４６】
一方、ステップＳ１１において、相手先の指示があったと判断した場合、次に、ＣＰＵ１２６は、選択されたＳＩＭカードの契約国と、携帯電話機の位置する国とが同一であるか否かを判断する（ステップＳ１２）。このステップＳ１２において、ＣＰＵ１２６は、上述したステップＳ１０において選択された自局電話番号に係るＳＩＭカード５０の国番号、及び、上記メモリに記憶されている位置情報とに基づいて、ＳＩＭカード５０の契約国と携帯電話機１の位置する国とが同一であるか否かを判断する。
ステップＳ１２の処理を実行するとき、ＣＰＵ１２６は、第１判断手段として機能する。
【００４７】
ステップＳ１２において、選択されたＳＩＭカードの契約国と、携帯電話機の位置する国とが異なると判断した場合、次に、ＣＰＵ１２６は、ヘッダ情報を付加する処理を実行するステップＳ１３）。このステップＳ１３において、後述するステップＳ２１において発呼を行う際に送信される信号に含まれる自局電話番号に、上記ヘッダ情報としてステップＳ１０において選択された自局電話番号に係るＳＩＭカード５０の国番号を付加する処理を実行する。
このステップＳ１３の処理が実行されると、ステップＳ２１において発呼が行われる際に送信される自局電話番号に、当該自局電話番号に係るＳＩＭカード５０の国番号が付加されることとなる。
【００４８】
ステップＳ１３の処理を実行するか、又は、ステップＳ１２において選択されたＳＩＭカードの契約国と携帯電話機の位置する国とが同一であると判断した場合、次に、ＣＰＵ１２６は、ステップＳ１０において選択された自局電話番号と、ステップＳ１１において選択された相手局電話番号に対応する自局電話番号とが同一であるか否かを判断する（ステップＳ１４）。ステップＳ１４において、ＣＰＵ１２６は、電話番号記憶回路１３７に記憶されている電話帳データを参照し、ステップＳ１０において選択の指示の入力があった自局電話番号と、ステップＳ１１において選択された相手局電話番号に対応する自局電話番号とが同一であるか否かを判断する。
このステップＳ１４の処理を実行するとき、ＣＰＵ１２６は、第２判断手段として機能する。
【００４９】
ステップＳ１４において、ステップＳ１０において選択された自局電話番号と、ステップＳ１１において選択された相手局電話番号に対応する自局電話番号とが同一であると判断した場合、ＣＰＵ１２６は、当該自局電話番号で発呼を行う処理を実行し（ステップＳ２１）、本サブルーチンを終了する。
【００５０】
一方、ステップＳ１４において、ステップＳ１０において選択された自局電話番号と、ステップＳ１１において選択された相手局電話番号に対応する自局電話番号とが異なると判断した場合、次に、ＣＰＵ１２６は、第１報知画像表示処理を実行する（ステップＳ１５）。このステップＳ１５において、ＣＰＵ１２６は、ステップＳ１０において選択された自局電話番号と、ステップＳ１１において選択された相手局電話番号に対応する自局電話番号とが異なることを報知するとともに、ステップＳ１０において選択された自局電話番号で発呼を行うか、又は、ステップＳ１１において選択された相手局電話番号に対応する自局電話番号で発呼を行うかについて、十字方向操作キー５、操作キー群６からの指示の入力を行うことを可能とする上記第１報知画像をディスプレイ４に表示させる処理を実行する。
このステップＳ１５の処理を実行するとき、ＣＰＵ１２６及びディスプレイ４は、第１報知画像表示手段として機能する。なお、この第１報知画像については、後に図面（図５）を用いて詳述する。
【００５１】
ステップＳ１５の処理を実行すると、次に、ＣＰＵ１２６は、ディスプレイ４に上記第１報知画像が表示されているときに、発呼を行う自局電話番号を変更する旨の指示があったか否かを判断する（ステップＳ１６）。
ステップＳ１６において自局電話番号を変更する旨の指示がなかった、すなわち、ステップＳ１０において選択された自局電話番号で発呼を行う旨の指示があったと判断した場合、次に、ＣＰＵ１２６は、確認画像表示処理を実行する（ステップＳ１７）。このステップＳ１７において、ＣＰＵ１２６は、ステップＳ１０の処理で選択され、電話番号記憶回路１３７に記憶された相手局電話番号に対応する自局電話番号とは異なる自局電話番号で発呼を行う際に、非通知で発呼を行うか否かについて、十字方向操作キー５、操作キー群６による指示の入力を可能とする非通知確認画像をディスプレイ４に表示させる処理を実行する。
このステップＳ１７の処理を実行するとき、ＣＰＵ１２６及びディスプレイ４は、確認画像表示手段として機能する。なお、この非通知確認画像については、後に図面（図５）を用いて詳述する。
【００５２】
ステップＳ１７の処理を実行すると、次に、ＣＰＵ１２６は、上記非通知確認画像が表示されているときに、非通知で発呼を行うか否かについての指示の入力があったか否かを判断する（ステップＳ１８）。ステップＳ１８において指示の入力がなかったと判断した場合、ＣＰＵ１２６は、処理をステップＳ１８に戻す。
【００５３】
一方、ステップＳ１８において指示の入力があったと判断した場合、ＣＰＵ１２６は、ステップＳ１０において選択された自局電話番号を通知又は非通知で発呼を行う処理を実行し（ステップＳ２１）、本サブルーチンを終了する。
【００５４】
上述したステップＳ１６において、自局電話番号を変更する旨の指示があった、すなわち、ステップＳ１０において選択された自局電話番号から、相手局電話番号に対応する自局電話番号に変更する旨の指示があったと判断した場合、次に、ＣＰＵ１２６は、相手局電話番号に対応する自局電話番号が記憶されたＳＩＭカードが存在するか否かを判断する（ステップＳ１９）。このステップＳ１９において、ＣＰＵ１２６は、２つの嵌合溝５１のいずれかに、ステップＳ１１において選択された相手局電話番号に対応する自局電話番号が記憶されたＳＩＭカード５０が装着されているか否かを判断する。
このステップＳ１９の処理を実行するとき、ＣＰＵ１２６は、第３判断手段として機能する。
【００５５】
ステップＳ１９において、相手局電話番号に対応する自局電話番号が記憶されたＳＩＭカードが存在すると判断した場合、ＣＰＵ１２６は、当該自局電話番号で発呼を行う処理を実行し（ステップＳ２１）、本サブルーチンを終了する。
【００５６】
一方、ステップＳ１９において、相手局電話番号に対応する自局電話番号が記憶されたＳＩＭカードが存在しないと判断した場合、次に、ＣＰＵ１２６は、第２報知画像表示処理を実行する（ステップＳ２０）。このステップＳ２０において、ＣＰＵ１２６は、ステップＳ１１において選択された相手局電話番号に対応する自局電話番号が記憶されたＳＩＭカード５０が、２つの嵌合溝５１のいずれにも装着されていないことを報知する第２報知画像をディスプレイ４に表示させる処理を実行する。
このステップＳ２０の処理を実行するとき、ＣＰＵ１２６及びディスプレイ４は、第２報知画像表示手段として機能する。なお、この第２報知画像については、後に図面（図５）を用いて詳述する。
ステップＳ２０の処理を実行すると、本サブルーチンを終了する。
なお、図４に示したサブルーチンを実行するとき、ＣＰＵ１２６は、発呼手段として機能する。
【００５７】
上述したように、ステップＳ１２において発呼を行うＳＩＭカード５０の契約国と、携帯電話機１が位置する国とが異なる場合には、そのＳＩＭカード５０の国番号が、上記ヘッダ情報としてＳＩＭカード５０の自局電話番号に付加されて（ステップＳ１３）、発呼が行われる（ステップＳ２１）ことになる。
この場合、携帯電話機１から送信された信号は、携帯電話機１が位置する国の交換機により受信される。携帯電話機１が位置する国の交換機は、上記信号を受信すると、当該信号に含まれる上記ヘッダ情報に基づいて、ＳＩＭカード５０の契約国の交換機に上記信号を転送する。その結果、ＳＩＭカード５０の契約国の交換機に対してアクセスが行われることになる。そして、ＳＩＭカード５０の交換機は、上記信号に含まれる相手局電話番号及び国番号に基づいて、相手先の携帯電話機や固定電話機に対してアクセスを行うのである。
【００５８】
一方、ステップＳ１２において発呼を行うＳＩＭカード５０の契約国と、携帯電話機１が位置する国とが異なる場合には、ステップＳ１３の処理は行われず、ステップＳ２１において発呼が行われる際に携帯電話機１から送信される信号に上記ヘッダ情報は付加されない。
この場合、携帯電話機１から送信された信号は、携帯電話機１が位置する国（ＳＩＭカードの契約国）の交換機により受信される。そして、携帯電話機１が位置する国の交換機は、上記信号に含まれる相手局電話番号及び国番号に基づいて、相手先の携帯電話機や固定電話機に対してアクセスを行うのである。
【００５９】
次に、図４に示したサブルーチンが実行されているときに、携帯電話機１のディスプレイ４に表示される画像について図５を用いて説明する。
図５（ａ）〜（ｅ）は、実施形態に係る携帯電話機１のディスプレイ４に表示される画像の一例を示す図である。なお、以下の説明において、携帯電話機１には、自局電話番号Ｘが記憶されたＳＩＭカード５０、及び、自局電話番号Ｙが記憶されたＳＩＭカード５０の２つのＳＩＭカード５０（図３参照）が装着されていることとする。
【００６０】
図５（ａ）〜（ｅ）に示す画面画像の上側には、基地局からの電波の受信感度を示すアンテナピクトが表示されている。
図５（ａ）に示す画面画像には、２つのＳＩＭカード５０にそれぞれ記憶されている自局電話番号を示す画像が表示されている。この図５（ａ）に示す画面画像が表示されているときに、例えば、自局電話番号Ｘが選択された場合、次に、図５（ｂ）に示す画面画像が表示される。
【００６１】
図５（ｂ）に示す画面画像は、電話番号記憶回路１３７に記憶されている電話帳データの内容を示す画像であり、相手先の名前を示す画像が複数表示されている。この図５（ｂ）に示す画面画像が表示されているときに、例えば、これらの名前のなかで、「鈴木」が選択された場合には、「鈴木」の相手局電話番号Ｃに対応する自局電話番号がＹであり（図３参照）、図５（ａ）において選択された自局電話番号Ｘと異なるので、次に、図５（ｃ）に示す画面画像が表示される。
【００６２】
図５（ｃ）に示す画面画像は、上記第１報知画像である。
アンテナピクトの下側には、「この相手先に登録されている番号はＹです」という図５（ｂ）の画面画像が表示されているときに選択された相手局電話番号に対応する自局電話番号を示す画像が表示され、その下側には「あなたが選択した番号はＸです」という図５（ａ）の画面画像が表示されているときに選択された自局電話番号を示す画像が表示されている。これにより、選択された自局電話番号と、相手局電話番号に対応する自局電話番号とが異なることが示される。
さらに、その下側には、「Ｘで発信する」、「Ｙで発信する」という発呼を行う自局電話番号の選択肢を示す画像が表示され、それぞれの選択肢についての決定を可能とするラジオボタンが左側に表示されている。
【００６３】
図５（ｃ）に示す画面画像が表示されているときに、自局電話番号Ｘで発信することが選択された場合、相手先「鈴木」の相手局電話番号に対応する自局電話番号Ｙと異なる自局電話番号Ｘで発呼を行うことになるので、次に、図５（ｄ）に示す画面画像が表示される。
【００６４】
図５（ｄ）に示す画面画像は、上記非通知確認画像である。
アンテナピクトの下側には、「非通知で発信しますか」という非通知で発呼を行うか否かについての指示の入力を促す画像が表示されている。
また、その下側には、非通知で発呼を行うか否かについての選択肢を示す画像が表示されている。
【００６５】
一方、図５（ｂ）に示す画面画像が表示されているときに、例えば、これらの名前のなかで、「山田」選択され、その後、図５（ｃ）に示す画面画像が表示されているときに、図５（ａ）に示す画面画像の表示中に選択された自局電話番号Ｘから、自局電話番号Ｚに変更して発信することが選択された場合、自局電話番号Ｚが記憶されたＳＩＭカード５０が２つの嵌合溝５１のいずれにも装着されていないので、次に、図５（ｅ）に示す画面画像が表示される。
【００６６】
図５（ｅ）に示す画面画像は、上記第２報知画像である。
アンテナピクトの下側には、「番号Ｚが記憶されたカードが挿入されていません。」という相手先「山田」の相手局電話番号Ｅに対応する自局電話番号Ｚが記憶されたＳＩＭカード５０が、２つの嵌合溝５１のいずれにも装着されていないことを示す画像が表示されている。
また、その下側には、「カードを挿入して下さい」という自局電話番号Ｚが記憶されたＳＩＭカード５０の装着を促す画像が表示されている。
【００６７】
以上説明したように、実施形態に係る携帯電話機１では、相手先に発呼を行う際に、十字方向操作キー５、操作キー群６により使用する自局電話番号を選択することが可能となるため、複数の自局電話番号のうち、当該相手先に知られていない自局電話番号が通知されてしまうことがない。その結果、電話番号ごとの使い分けを確実に行うことができるとともに、通話料金の混同や人間関係の悪化を防止することが可能となる。
また、選択されたＳＩＭカード５０に記憶された契約国の国番号と、使用者が発呼を行う場所とが異なる場合には、当該契約国に交換機に対してアクセスを行うようにヘッダ情報（国番号）が自動的に付加されて発呼が行われるため、発呼を行う都度、アクセスを行う国等を指定する必要がなく、利便性に優れたものとなる。
【００６８】
また、実施形態に係る携帯電話機１では、相手先に対して通常使用している自局電話番号を、予め電話番号記憶回路１３７に記憶させておくことにより、発呼を行う際に選択した自局電話番号が当該相手先に対して通常使用している自局電話番号であるか否かについて自動的に判定することができるため、相手先に対してどの自局電話番号を使用しているかについて、使用者が記憶しておく必要がなく、誤って通常使用していない自局電話番号で発呼を行ってしまうことを防止することが可能となる。
【００６９】
また、実施形態に係る携帯電話機１では、相手先に対して通常使用している自局電話番号が記憶されたＳＩＭカード５０が携帯電話機１に装着されていない場合には、その旨が報知されるため、携帯電話機１に装着することが可能なＳＩＭカード５０の数によりも、多くのＳＩＭカード５０を使用者が所有している場合であっても、電話番号の使い分けを確実に行うことが可能となる。
【００７０】
また、実施形態に係る携帯電話機１では、相手先に対して通常使用していない自局電話番号で発呼を行う場合には、非通知で発呼を行うか否かについて選択することができるため、相手先に知られていない自局電話番号が通知されてしまうことをより確実に防止することが可能となる。
【００７１】
上述した例では、上記ヘッダ情報が国番号である場合について説明したが、本発明において上記ヘッダ情報としては、発呼を行う際に使用するＩＣカードの契約国の交換機にアクセスを行うための情報であれば特に限定されるものではない。
【００７２】
また、上述した例では、電話番号記憶回路１３７に記憶されている相手局電話番号に対応する自局電話番号と、発呼を行う際に選択された自局電話番号とが異なると判断し、電話番号記憶回路１３７に記憶されている相手局電話番号に対応する自局電話番号に変更して発呼を行う旨の指示の入力があった後に、当該自局電話番号が記憶されたＳＩＭカードが携帯電話機１に装着されているか否かについて判断するように携帯電話機１が構成されている場合について説明したが、本発明では、上記判断を、例えば、相手局電話番号の選択があったときに行うこととしてもよい。
【００７３】
また、上述した例では、電話番号記憶回路１３７が、１つの自局電話番号に対応させて相手局電話番号を記憶する場合について説明したが、本発明では、電話番号記憶手段が、２以上の自局電話番号に対応させて相手局電話番号を記憶することができるようにしてもよい。
【００７４】
また、上述した例では、使用者の操作により電話番号記憶回路１３７に相手先の名前、相手局電話番号及び国番号を含む電話帳データが記憶される場合について説明したが、本発明では、ＩＣカードに上記電話帳データが記憶され、ＩＣカードの装着時に当該ＩＣカードに記憶されている電話帳データが、当該ＩＣカードの自局電話番号に対応して電話番号記憶手段に記憶されるように携帯電話機が構成されていてもよい。この場合、ＩＣカードを携帯電話機から取り外す際に、電話番号記憶手段に記憶されている電話帳データがリセットされるように携帯電話機が構成されていてもよく、ＩＣカードに記憶されている電話帳データが、電話番号記憶手段に記憶されている電話帳データに加え、予め用意された当該電話番号記憶手段の記憶領域に転送されて記憶されるように携帯電話機が構成されていてもよい。
さらに、例えば、ＩＣカードに相手先の名前、相手局電話番号及び国番号が記憶されるとともに、電話番号記憶手段に相手先の名前、相手先の住所、メールアドレス等が記憶され、ＩＣカードの装着時に当該ＩＣカードに記憶されている情報が電話番号記憶手段に記憶されるというように、ＩＣカードの装着時に当該ＩＣカードに記憶されている情報が、電話番号記憶手段に記憶されている情報に結合されるように携帯電話機が構成されていてもよい。
【図面の簡単な説明】
【００７５】
【図１】（ａ）、（ｂ）は、本発明の携帯電話機の一例を模式的に示す斜視図である。
【図２】図１に示した携帯電話機の内部構成を示すブロック図である。
【図３】図１に示した携帯電話機が備える電話番号記憶回路に記憶されている電話帳データの一例を示す図である。
【図４】図１に示した携帯電話機の制御回路において実行される発呼処理ルーチンを示すフローチャートである。
【図５】図１に示した携帯電話機が備えるディスプレイに表示される画像の一例を示す図である。
【符号の説明】
【００７６】
１  携帯電話機
２  アンテナ
３  受話口
４  ディスプレイ
５  十字方向操作キー
６  操作キー群
７  送話口
８（８ａ〜８ｃ）  アンテナ
１１  ケース
１２  カバー
４０  バッテリーバック
４１  電池溝
５０  ＳＩＭカード
５１  嵌合溝
５１  接触片
１２６  ＣＰＵ
１３７  電話番号記憶回路
【図１】
2005198003.tif 000003
【図２】
2005198003.tif 000004
【図３】
2005198003.tif 000005
【図４】
2005198003.tif 000006
【図５】
2005198003.tif 000007